(57)【要約】【課題】動画像と静止画像とを記録媒体の容量分だけ確実に記録できるようにする。【解決手段】ＪＰＥＧ分割部１０８において、ＪＰＥＧデータを予め決められたデータ量の複数の分割ＪＰＥＧデータにし、予め決められたデータ量のＭＰＥＧデータに対し、動画フォーマット処理部１０５において、前記分割ＪＰＥＧデータを多重して、動画ストリームを生成するようにして、記録中の動画モードを停止して静止画モードにわざわざ切り替えることなく静止画を記録できるようにすることにより、記録媒体１００の容量を余すことなく、動画と静止画とを混在させて記録できるようにする。【選択図】図１
2007325099.tif 000002
【特許請求の範囲】
【請求項１】
記録媒体に対して、動画像データと静止画像データとを記録する記録装置であって、
前記動画像データを生成する動画処理手段と、
前記動画処理手段によって生成された動画像データ中の一画面を用いて、前記静止画像データを生成する静止画処理手段と、
前記静止画処理手段により生成された静止画像データを予め決められたデータ量の複数の分割静止画データにして出力する分割手段と、
前記動画処理手段によって生成された予め決められたデータ量の動画像データに対して、前記分割手段より出力される分割静止画データを多重して、動画ストリームを生成する多重手段と、
前記多重手段より出力された動画ストリームを前記記録媒体に記録する記録手段と、
前記記録媒体上における動画ストリームの各分割静止画データの記録位置を示す位置情報を保持する保持手段とを備えることを特徴とする記録装置。
【請求項２】
前記記録媒体から前記動画ストリームを再生する再生手段を備え、
前記静止画処理手段は、前記保持手段によって保持された位置情報に基づいて前記再生手段によって再生された動画ストリーム中の分割静止画データを抽出し、前記抽出された分割静止画データを用いて元の一画面の静止画データを生成し、
前記記録手段は、前記静止画処理手段により生成された元の一画面の静止画データを前記記録媒体に記録することを特徴とする請求項１に記載の記録装置。
【請求項３】
前記保持手段は、前記各分割静止画データの記録位置を示す位置情報を、記録装置内の不揮発メモリに格納することを特徴とする請求項１に記載の記録装置。
【請求項４】
前記記録媒体に記録される動画ストリームの管理単位を生成する管理単位生成手段を備え、
前記記録手段は、前記管理単位生成手段により新たに管理単位を生成したことに応じて、前記元の一画面の静止画像データを前記記録媒体に記録することを特徴とする請求項２に記載の記録装置。
【請求項５】
前記記録手段は、前記動画ストリームの記録中以外の期間における静止画記録の指示に応じて前記静止画処理手段により生成された静止画データを前記記録媒体に記録するとともに、前記記録手段は前記静止画記録の指示に応じて前記静止画処理手段により生成された前記元の一画面の静止画データを前記記録媒体に記録することを特徴とする請求項４に記載の記録装置。
【請求項６】
前記静止画処理手段は、前記動画像データの記録中における静止画記録の指示に応じて前記静止画データを生成するとともに、前記多重手段は前記記録中における静止画記録の指示に応じて前記静止画処理手段により生成され前記分割手段により分割された静止画データを前記動画データに多重して前記動画ストリームを生成することを特徴とする請求項１に記載の記録装置。
【請求項７】
静止画像データを分割した分割静止画像データが多重化されている動画ストリームを記録媒体から再生する再生手段と、
前記再生手段によって再生された動画ストリームから前記分割静止画像データを抽出する静止画データ抽出手段と、
前記静止画データ抽出手段によって抽出された分割静止画像データを用いて分割前の静止画像データを生成する静止画像データ生成手段とを備えることを特徴とする画像再生装置。
【請求項８】
前記静止画像生成手段によって生成された静止画像データを前記記録媒体に記録する記録手段を備えることを特徴とする請求項７に記載の画像再生装置。
【請求項９】
前記記録媒体に対し、予め決められたデータを記録するファイナライズ処理を実行するファイナライズ処理手段を備え、
前記記録手段は、前記ファイナライズ処理の実行に応じて、前記静止画像データ生成手段によって生成された静止画像データを前記記録媒体に記録することを特徴とする請求項８に記載の画像再生装置。
【請求項１０】
記録媒体に対して、動画像データと静止画像データとを記録する記録方法であって、
前記動画像データを生成する動画処理工程と、
前記動画処理工程において生成された動画像データ中の一画面を用いて、前記静止画像データを生成する静止画処理工程と、
前記静止画処理工程において生成された静止画像データを予め決められたデータ量の複数の分割静止画データにして出力する分割工程と、
前記動画処理工程において生成された予め決められたデータ量の動画像データに対して、前記分割工程において出力される分割静止画データを多重して、動画ストリームを生成する多重工程と、
前記多重工程により出力された動画ストリームを前記記録媒体に記録する記録工程と、
前記記録媒体上における動画ストリームの各分割静止画データの記録位置を示す位置情報を保持手段に保持する保持工程とを備えることを特徴とする記録方法。
【請求項１１】
前記記録媒体から前記動画ストリームを再生する再生工程を備え、
前記静止画処理工程においては、前記保持手段に保持された位置情報に基づいて前記再生工程において再生された動画ストリーム中の分割静止画データを抽出し、前記抽出された分割静止画データを用いて元の一画面の静止画データを生成し、
前記記録工程においては、前記静止画処理工程において生成された元の一画面の静止画データを前記記録媒体に記録することを特徴とする請求項１０に記載の記録方法。
【請求項１２】
前記保持工程においては、前記各分割静止画データの記録位置を示す位置情報を、記録装置内の不揮発メモリに格納することを特徴とする請求項１０に記載の記録方法。
【請求項１３】
前記記録媒体に記録される動画ストリームの管理単位を生成する管理単位生成工程を備え、
前記記録工程においては、前記管理単位生成工程において新たに管理単位を生成したことに応じて、前記元の一画面の静止画像データを前記記録媒体に記録することを特徴とする請求項１１に記載の記録方法。
【請求項１４】
前記記録工程においては、前記動画ストリームの記録中以外の期間における静止画記録の指示に応じて前記静止画処理工程において生成された静止画データを前記記録媒体に記録するとともに、前記静止画記録の指示に応じて前記静止画処理工程において生成された前記元の一画面の静止画データを前記記録媒体に記録することを特徴とする請求項１３に記載の記録方法。
【請求項１５】
前記静止画処理工程においては、前記動画像データの記録中における静止画記録の指示に応じて前記静止画データを生成するとともに、前記多重工程においては前記記録中における静止画記録の指示に応じて前記静止画処理工程において生成され前記分割工程において分割された静止画データを前記動画データに多重して前記動画ストリームを生成することを特徴とする請求項１０に記載の記録方法。
【請求項１６】
静止画像データを分割した分割静止画像データが多重化されている動画ストリームを記録媒体から再生する再生工程と、
前記再生工程において再生された動画ストリームから前記分割静止画像データを抽出する静止画データ抽出工程と、
前記静止画データ抽出工程において抽出された分割静止画像データを用いて分割前の静止画像データを生成する静止画像データ生成工程とを備えることを特徴とする画像再生方法。
【請求項１７】
前記静止画像生成工程において生成された静止画像データを、前記記録媒体に記録する記録工程を備えることを特徴とする請求項１６に記載の画像再生方法。
【請求項１８】
前記記録媒体に対し、予め決められたデータを記録するファイナライズ処理を実行するファイナライズ処理工程を備え、
前記記録工程においては、前記ファイナライズ処理の実行に応じて、前記静止画像データ生成工程において生成された静止画像データを前記記録媒体に記録することを特徴とする請求項１７に記載の画像再生方法。
【請求項１９】
記録媒体に対して、動画像データと静止画像データとを記録する記録方法をコンピュータに実行させるプログラムであって、
前記動画像データを生成する動画処理工程と、
前記動画処理工程において生成された動画像データ中の一画面を用いて、前記静止画像データを生成する静止画処理工程と、
前記静止画処理工程において生成された静止画像データを予め決められたデータ量の複数の分割静止画データにして出力する分割工程と、
前記動画処理工程において生成された予め決められたデータ量の動画像データに対して、前記分割工程において出力される分割静止画データを多重して、動画ストリームを生成する多重工程と、
前記多重工程により出力された動画ストリームを前記記録媒体に記録する記録工程と、
前記記録媒体上における動画ストリームの各分割静止画データの記録位置を示す位置情報を保持手段に保持する保持工程とを備える記録方法をコンピュータに実行させることを特徴とするプログラム。
【請求項２０】
静止画像データを分割した分割静止画像データが多重化されている動画ストリームを記録媒体から再生する再生工程と、
前記再生工程において再生された動画ストリームから前記分割静止画像データを抽出する静止画データ抽出工程と、
前記静止画データ抽出工程において抽出された分割静止画像データを用いて分割前の静止画像データを生成する静止画像データ生成工程とを備える画像再生方法をコンピュータに実行させることを特徴とするプログラム。
【請求項２１】
請求項１９または２０に記載のプログラムを記憶したことを特徴とするコンピュータ読み取り可能な記憶媒体。
【発明の詳細な説明】
【技術分野】
【０００１】
本発明は記録装置、画像再生装置、記録方法、画像再生方法、プログラム及び記憶媒体に関し、特に、記録可能なＤＶＤ（Digital Versatile Disk）等を記録媒体として用い、これに静止画像、動画像をデジタルデータとして記録したり、前記記録媒体に記録されている静止画像、動画像を再生したりするために用いて好適な技術に関する。
【背景技術】
【０００２】
従来の記録装置は、動画像用の記録媒体として磁気テープを用い、静止画用の記録媒体としてメモリカードなどの半導体メモリを用いるようにして、磁気テープに動画像を記録中にメモリカードに静止画像を記録するデジタルビデオカメラが知られている。
【０００３】
一方、最近では、記録媒体としてＤＶＤなどの大容量のディスク記録媒体に動画像及び静止画像の両方を記録するデジタルビデオカメラ、またはデジタルカメラが普及し始めている。このディスク記録媒体に動画像を記録する場合には、動画記録用に考えられた動画フォーマットで記録し、ディスク記録媒体に静止画像を記録する場合には、静止画用に考えられたデジタル静止画フォーマットで記録する。
【０００４】
例えば、ディスク記録媒体としてＤＶＤを用いて動画像を記録する場合には、データ圧縮方式としてＭＰＥＧ（Moving Picture Experts Group）方式を用いたDVD Videoフォーマットなどのデジタル動画フォーマットを用いる。また、静止画像を記録する場合には、データ圧縮方式としてＪＰＥＧ（Joint Photographic Experts Group）方式を用いたＤＣＦ(Design rule for Camera File system)フォーマットと呼ばれる静止画フォーマットを用いる。ユーザは動画記録モードと静止画記録モードとを切り替えて、どちらかのフォーマットを用いて撮影している（例えば、特許文献１参照）。
【０００５】
このように、同一のディスク記録媒体に動画像と静止画像を記録するビデオカメラにおいては、記録フォーマットの違いや、ディスク記録媒体へのアクセスレートなどから動画記録中に静止画像を記録することが難しくなっていた。そこで、動画記録中に静止画記録要求があった場合に、静止画像データを記録装置内の一時保持メモリに格納し、動画撮影終了後に記録フォーマットを切り替えて一時保持メモリに格納した静止画データを記録する方法が提案されている。
【０００６】
【特許文献１】特開２００３−３１７３９８号公報
【発明の開示】
【発明が解決しようとする課題】
【０００７】
しがしながら、前述した従来の方法では、一時保持メモリの容量によって動画記録中の静止画記録枚数が限定される。このため、ユーザの認識しているディスク記録媒体の残量とは無関係な機能制限が発生し、使い勝手が低下したり、故障と誤認識したりしてしまうという問題点があった。
【０００８】
また、DVD Videoフォーマットでは、動画フォーマットで動画像を記録した後に静止画フォーマットで静止画像データを記録する場合に、タイトルと呼ばれる管理単位を終了する必要がある。従来の方法によって記録された場合の記録媒体のイメージを図３に示す。フォーマット上タイトルが９９までとなっているため、動画及び静止画のフォーマットを切り替えて記録する回数が９９回を超えてしまうと、記録媒体の容量が十分に残っている場合でも記録不可能な事態が生じてしまうという問題点があった。
【０００９】
本発明は前述の問題点に鑑み、動画像と静止画像とを記録媒体の容量分だけ確実に記録できるようにすることを目的としている。
【課題を解決するための手段】
【００１０】
本発明の記録装置は、記録媒体に対して、動画像データと静止画像データとを記録する記録装置であって、前記動画像データを生成する動画処理手段と、前記動画処理手段によって生成された動画像データ中の一画面を用いて、前記静止画像データを生成する静止画処理手段と、前記静止画処理手段により生成された静止画像データを予め決められたデータ量の複数の分割静止画データにして出力する分割手段と、前記動画処理手段によって生成された予め決められたデータ量の動画像データに対して、前記分割手段より出力される分割静止画データを多重して、動画ストリームを生成する多重手段と、前記多重手段より出力された動画ストリームを前記記録媒体に記録する記録手段と、前記記録媒体上における動画ストリームの各分割静止画データの記録位置を示す位置情報を保持する保持手段とを備えることを特徴とする。
【００１１】
本発明の画像再生装置は、静止画像データを分割した分割静止画像データが多重化されている動画ストリームを記録媒体から再生する再生手段と、前記再生手段によって再生された動画ストリームから前記分割静止画像データを抽出する静止画データ抽出手段と、前記静止画データ抽出手段によって抽出された分割静止画像データを用いて分割前の静止画像データを生成する静止画像データ生成手段とを備えることを特徴とする。
【００１２】
本発明の記録方法は、記録媒体に対して、動画像データと静止画像データとを記録する記録方法であって、前記動画像データを生成する動画処理工程と、前記動画処理工程において生成された動画像データ中の一画面を用いて、前記静止画像データを生成する静止画処理工程と、前記静止画処理工程において生成された静止画像データを予め決められたデータ量の複数の分割静止画データにして出力する分割工程と、前記動画処理工程において生成された予め決められたデータ量の動画像データに対して、前記分割工程において出力される分割静止画データを多重して、動画ストリームを生成する多重工程と、前記多重工程により出力された動画ストリームを前記記録媒体に記録する記録工程と、前記記録媒体上における動画ストリームの各分割静止画データの記録位置を示す位置情報を保持手段に保持する保持工程とを備えることを特徴とする。
【００１３】
本発明の画像再生方法は、静止画像データを分割した分割静止画像データが多重化されている動画ストリームを記録媒体から再生する再生工程と、前記再生工程において再生された動画ストリームから前記分割静止画像データを抽出する静止画データ抽出工程と、前記静止画データ抽出工程において抽出された分割静止画像データを用いて分割前の静止画像データを生成する静止画像データ生成工程とを備えることを特徴とする。
【００１４】
本発明のプログラムは、記録媒体に対して、動画像データと静止画像データとを記録する記録方法をコンピュータに実行させるプログラムであって、前記動画像データを生成する動画処理工程と、前記動画処理工程において生成された動画像データ中の一画面を用いて、前記静止画像データを生成する静止画処理工程と、前記静止画処理工程において生成された静止画像データを予め決められたデータ量の複数の分割静止画データにして出力する分割工程と、前記動画処理工程において生成された予め決められたデータ量の動画像データに対して、前記分割工程において出力される分割静止画データを多重して、動画ストリームを生成する多重工程と、前記多重工程により出力された動画ストリームを前記記録媒体に記録する記録工程と、前記記録媒体上における動画ストリームの各分割静止画データの記録位置を示す位置情報を保持手段に保持する保持工程とを備える記録方法をコンピュータに実行させることを特徴とする。
また、本発明のプログラムの他の特徴とするところは、静止画像データを分割した分割静止画像データが多重化されている動画ストリームを記録媒体から再生する再生工程と、前記再生工程において再生された動画ストリームから前記分割静止画像データを抽出する静止画データ抽出工程と、前記静止画データ抽出工程において抽出された分割静止画像データを用いて分割前の静止画像データを生成する静止画像データ生成工程とを備える画像再生方法をコンピュータに実行させることを特徴とする。
【００１５】
本発明の記憶媒体は、前記の何れかに記載のプログラムを記憶したことを特徴とする。
【発明の効果】
【００１６】
本発明によれば、静止画像データを予め決められたデータ量の複数の分割静止画データにし、予め決められたデータ量の動画像データに対して、前記分割静止画データを多重して、動画ストリームを生成して記録するようにした。これにより、少ない枚数の静止画を記録する場合には、記録中の動画モードを停止して静止画モードにわざわざ切り替えることなく静止画を記録することができる。したがって、モード切替回数を大幅に削減することが可能となり、記録媒体の容量を余すことなく、動画と静止画とを混在させて記録することができる。
【発明を実施するための最良の形態】
【００１７】
［第１の実施形態］
以下、図面を参照しながら本発明の実施形態について説明する。
以下に、第１の実施形態に係る動画像と静止画像の同時記録動作について説明する。
図１は、本実施形態に係る画像記録再生装置の機能構成例を示すブロック図である。
図１において、１００は動画像データまたは静止画像データを記録するＤＶＤなどの記録媒体である。１０１はレンズ及びＣＣＤを含むレンズユニットであり、１０２はレンズユニット１０１から送られる撮像信号を電気信号に変換するカメラ信号処理部である。１０３はカメラ信号処理部１０２からの信号出力と外部入力端子からの信号出力とを切り替える入力セレクタである。
【００１８】
１０４は入力セレクタ１０３から送られる画像信号をＭＰＥＧ方式で圧縮する機能と、ＭＰＥＧ方式で圧縮されたデータを伸張する機能を備えたMPEG Codecである。１０５はMPEG Codec１０４で圧縮されたデータと他の付加情報とを多重化し、DVD Videoフォーマットなどの動画フォーマットに変換する機能と、動画フォーマットから必要なデータを抽出する機能とを備えた動画フォーマット処理部である。
【００１９】
１０６は入力セレクタ１０３から送られる画像信号をＪＰＥＧ方式で圧縮する機能と、ＪＰＥＧ方式で圧縮されたデータを伸張する機能とを備えたJPEG Codecである。１０７はJPEG Codec１０６で圧縮されたデータと他の付加情報とを多重化し、ＤＣＦフォーマットなどの静止画フォーマットに変換する機能と、静止画フォーマットから必要な情報を抽出する機能とを備えた静止画フォーマット処理部である。
【００２０】
１０８はJPEG Codec１０６で圧縮されたＪＰＥＧデータを所定のサイズに分割するＪＰＥＧ分割部である。１０９は動画フォーマット処理部１０５から必要なデータを抽出し、分割されて記録されているＪＰＥＧデータを復元するＪＰＥＧ復元部である。１１０は記録媒体１００に対してデータの記録再生を行う記録再生部である。
【００２１】
１１１はＬＣＤ（Liquid Crystal Display）などの表示部である。１１２はMPEG Codec１０４とJPEG Codec１０６とから送られる出力画像信号を選択し、外部出力端子(output)と表示部１１１とに出力する出力セレクタである。１１３は画像記録再生装置１を制御するＣＰＵ（Central Processing Unit）であり、１１４はFlash Memoryなどの不揮発性メモリである。
【００２２】
１１５はＣＰＵ１１３から送られる制御信号を各ブロックに送るデータバスであり、１１６はユーザとのインタフェースになる操作キーである。レンズユニット１０１から操作キー１１６までの構成によって画像記録再生装置１を形成しており、記録媒体１００は装置から取り外し可能な構成になっている。
【００２３】
（通常動画記録動作）
前述の画像記録再生装置１において、通常動画記録動作について説明する。
まず、記録ポーズ状態でユーザによる操作キー１１６の操作によって動画記録が指示されると、レンズユニット１０１、カメラ信号処理１０２、及び入力セレクタ１０３を介してMPEG Codec１０４に画像信号が入力される。MPEG Codec１０４は入力された画像信号をＭＰＥＧ方式で圧縮し、動画フォーマット処理部１０５に出力する。そして、動画フォーマット処理部１０５で動画フォーマットに変換されたデータは、記録再生部１１０によって動画フォーマットに基づいた形式で記録媒体１００に記録される。
【００２４】
（通常静止画記録動作）
次に、前述の画像記録再生装置１において、通常静止画記録動作について説明する。
まず、記録ポーズ状態でユーザによる操作キー１１６の操作によって静止画記録が指示されると、レンズユニット１０１、カメラ信号処理１０２、及び入力セレクタ１０３を介してJPEG Codec１０６に画像信号が入力される。JPEG Codec１０６は入力された画像信号をＪＰＥＧ方式で圧縮し、静止画フォーマット処理部１０７に出力する。そして、静止画フォーマット処理部１０７で静止画フォーマットに変換されたデータは、記録再生部１１０によって静止画フォーマットに基づいた形式で記録媒体１００に記録される。
【００２５】
（動画／静止画同時記録動作）
図２は、本実施形態において、画像記録再生装置１による動画像と静止画像とを同時に記録媒体１００に記録する場合の動作手順の一例を示すフローチャートである。
まず、ユーザによる操作キー１１６の操作により動画記録が指示されると、MPEG Codec１０４は入力された画像信号をＭＰＥＧ方式で圧縮しＭＰＥＧデータを生成する（ステップＳ２０１）。次に、JPEG Codec１０６はユーザから静止画記録動作が指示されたか否かを判断する（ステップＳ２０２）。
【００２６】
この判断の結果、静止画記録動作が指示された場合は、JPEG Codec１０６は入力画像信号をＪＰＥＧ方式で圧縮しＪＰＥＧデータを生成する（ステップＳ２０３）。次に、ＪＰＥＧ分割部１０８は、ステップＳ２０３で生成されたＪＰＥＧデータをＪＰＥＧ分割部１０８の内部のメモリに一時格納し、予め決められたサイズに分割する。そして、この分割したデータ毎に動画フォーマット処理部１０５に出力する（ステップＳ２０４）。
【００２７】
次に、動画フォーマット処理部１０５は、ステップＳ２０１で生成した所定量のＭＰＥＧデータ毎に、ステップＳ２０４で生成されたＪＰＥＧ分割データと付加情報とを多重化し、記録用の動画ストリームを生成する（ステップＳ２０５）。
【００２８】
次に、ステップＳ２０５で多重化したＪＰＥＧ分割データの格納アドレス情報を、このディスク固有のディスクＩＤ情報と対応づけて不揮発性メモリ１１４に保持する（ステップＳ２０６）。なお、ディスクＩＤ情報は、ディスク装着時などにディスクの特定領域から読み出し、不揮発性メモリ１１４に格納しておく。分割したＪＰＥＧデータの格納アドレスを保持しておくことで、分割したＪＰＥＧデータを元のＪＰＥＧデータに容易に復元することできる。
【００２９】
一方、ステップＳ２０２の判断の結果、静止画記録動作が指示されていない場合は、動画フォーマット処理部１０５は、ステップＳ２０１で生成されたＭＰＥＧデータと付加情報とを多重化する（ステップＳ２０７）。次に、ステップＳ２０５、またはステップＳ２０７で多重化したデータを動画フォーマットに基づいた形式に変換する（ステップＳ２０８）。
【００３０】
次に、記録再生部１１０は、ステップＳ２０８で変換された動画フォーマットデータを記録媒体１００に記録する（ステップＳ２０９）。そして、動画記録動作を終了するか否かを判断する（ステップＳ２１０）。この判断の結果、終了するならば記録処理を終了する。一方、ステップＳ２１０の判断の結果、終了しないならばステップＳ２０１へ戻る。
【００３１】
なお、記録媒体１００に対する書き込みレートによって、ステップＳ２０４で分割したＪＰＥＧデータをすべて記録できない場合は、すべてのデータが記録されるまで新たな静止画記録を行わないようにする。
【００３２】
図４は、図２に示した本実施形態に係る動画／静止画同時記録方法を用いた場合の記録媒体１００のイメージ図である。動画フォーマット中のプライベートストリームに、分割された静止画データを記録することによって、動画タイトルを閉じることなく静止画データが記録媒体１００に記録されている。このようにDVD Videoフォーマットにおけるプライベートストリーム領域に、分割したＪＰＥＧデータを格納することによって、動画記録中に静止画像を同時に記録することが可能になる。
【００３３】
（通常動画再生動作）
次に、前述の方法で記録媒体１００に記録された画像データを再生する動作について説明する。最初に、図１に示した画像記録再生装置１において、通常動画再生動作について説明する。
【００３４】
まず、ユーザによる操作キー１１６の操作によって動画再生が指示されると、記録再生部１１０は記録媒体１００から動画フォーマットデータを読み出し、動画フォーマット処理部１０５へ出力する。動画フォーマットデータは動画フォーマット処理部１０５によってＭＰＥＧデータと付加情報に分離され、分離されたＭＰＥＧデータは、MPEG Codec１０４に出力される。そして、ＭＰＥＧデータはMPEG Codec１０４によって伸張され、出力画像信号として外部出力端子(output)と表示部１１１とに出力される。
【００３５】
（通常静止画再生動作）
図１に示した画像記録再生装置１において、通常動画再生動作について説明する。
まず、ユーザによる操作キー１１６の操作によって動画再生が指示されると、記録再生部１１０は記録媒体１００から静止画フォーマットデータを読み出し、静止画フォーマット処理部１０７へ出力する。静止画フォーマットデータは静止画フォーマット処理部１０７によってＪＰＥＧデータと付加情報とに分離され、分離されたＪＰＥＧデータは、JPEG Codec１０６に出力される。そして、ＪＰＥＧデータはJPEG Codec１０６によって伸張され、出力セレクタ１１２を介して出力画像信号として外部出力端子(output)と表示部１１１とに出力される。
【００３６】
（動画／静止画同時記録された画像データの再生）
図５は、本実施形態において、動画／静止画同時記録を行った記録媒体１００から静止画像を再生する場合の動作手順の一例を示すフローチャートである。
まず、ユーザによる操作キー１１６の操作により静止画再生が指示されると、図２のステップＳ２０６で不揮発性メモリ１１４に保持したＪＰＥＧ分割データの格納アドレス情報を取得する（ステップＳ５０１）。
【００３７】
次に、記録再生部１１０は、ステップＳ５０１で取得したアドレス情報に基づいて、ＪＰＥＧ分割データが格納されている動画フォーマットデータを記録媒体１００から読み出す（ステップＳ５０２）。次に、ＪＰＥＧ復元部１０９は、動画フォーマット処理部１０５を介してステップＳ５０２で読み出した動画フォーマットデータからＪＰＥＧ分割データのみを抽出しバッファリングする（ステップＳ５０３）。
【００３８】
次に、ＪＰＥＧ復元部１０９は、ステップＳ５０３で抽出されたＪＰＥＧ分割データが１枚分のＪＰＥＧデータとして成立するか否かを判断する（ステップＳ５０４）。この判断の結果、ＪＰＥＧデータとして成立しないならばステップＳ５０１へ戻る。一方、ステップＳ５０４の判断の結果、ＪＰＥＧデータとして成立するならば、ＪＰＥＧ復元部１０９でＪＰＥＧデータを復元し、静止画フォーマット処理部１０７とJPEG Codec１０６とによって、復元したＪＰＥＧデータをデコードする。そして、出力セレクタ１１２を介して表示部１１１または外部出力端子(output)に出力する（ステップＳ５０５）。このように、分割されて記録されているＪＰＥＧデータのみを抽出し、元のＪＰＥＧデータに復元することによって、静止画像を再生することが可能になる。
【００３９】
（ファイナライズ）
次に、記録媒体１００をファイナライズする場合の動作について説明する。ファイナライズ処理とは、ＤＶＤビデオフォーマットにて規定されている管理データなどのデータを記録することで、再生専用のディスクに変更する処理である。ファイナライズ処理されたディスクは、一般のＤＶＤビデオプレーヤにて再生可能となる。
【００４０】
図６は、本実施形態において、動画／静止画同時記録を行った記録媒体１００をファイナライズする場合の動作手順の一例を示すフローチャートである。
まず、ユーザによる操作キー１１６の操作によりファイナライズが指示されると、動画フォーマット処理部１０５は、記録媒体１００に記録されている動画フォーマットデータがファイナライズ可能であるか否かを判断する。すなわち、DVD Videoフォーマットで記録されている場合にはタイトル（ＶＴＳ）が閉じられているか否かを判断する（ステップＳ６０１）。
【００４１】
この判断の結果、ファイナライズ可能でないならば、タイトルを閉じる処理を行う（ステップＳ６０２）。一方、ステップＳ６０１の判断の結果、ファイナライズ可能である場合は、図２のステップＳ２０６で不揮発性メモリ１１４に保持したディスクＩＤ情報に基づき、このディスクに関するＪＰＥＧ分割データの格納アドレス情報を取得する（ステップＳ６０３）。
【００４２】
次に、記録再生部１１０は、ステップＳ６０３で取得したアドレス情報に基づいて、ＪＰＥＧ分割データが格納されている動画フォーマットデータを記録媒体１００から読み出す（ステップＳ６０４）。そして、ＪＰＥＧ復元部１０９は、動画フォーマット処理部１０５を介してステップＳ６０４で読み込んだ動画フォーマットデータからＪＰＥＧ分割データのみを抽出し、内部のメモリに一時格納する（ステップＳ６０５）。
【００４３】
次に、ＪＰＥＧ復元部１０９は、ステップＳ６０５で抽出したＪＰＥＧ分割データから元の一画面の静止画データが全て得られたか否かを判断する（ステップＳ６０６）。この判断の結果、全て得られていないならばステップＳ６０３へ戻る。一方、ステップＳ６０６の判断の結果、全て得られたならば、ＪＰＥＧ復元部１０９でＪＰＥＧデータを復元する。そして、静止画フォーマット処理部１０７は、復元したＪＰＥＧデータを静止画フォーマットデータに変換し、記録再生部１１０は、変換された静止画フォーマットデータを記録媒体１００に追記記録を行う（ステップＳ６０７）。
【００４４】
次に、記録再生部１１０は、記録媒体１００に記録されているすべてＪＰＥＧ分割データをＪＰＥＧデータに復元し、静止画フォーマットデータとして記録媒体１００に追記記録したか否かを判断する（ステップＳ６０８）。この判断の結果、追記記録していないならばステップＳ６０３に戻る。一方、ステップＳ６０８の判断の結果、追記記録したならば、不揮発性メモリ１１４に保持されているＪＰＥＧ分割データの格納アドレス情報をすべて消去する（ステップＳ６０９）。次に、通常のファイナライズ処理を行い（ステップＳ６１０）、本実施形態に係るファイナライズ動作を終了する。
【００４５】
また、ステップＳ６０８でYesと判断した後に、記録再生部１１０が記録媒体１００に記録されている静止画フォーマットデータを再度読み出す。そして、動画フォーマット処理部１０５が静止画フォーマットデータを動画フォーマットデータに変換する。そして、記録再生部１１０が記録媒体１００に再度記録することによって、動画フォーマット専用の再生機器でも静止画像を再生できるようにしてもよい。
【００４６】
図７は、図６で示した本実施形態に係る画像記録再生装置１におけるファイナライズ動作を行った場合の記録媒体１００のイメージ図である。ファイナライズ動作時に、図７の動画フォーマットデータであるVTS#1（タイトル１）部分に分割されて記録されているJPEG#1、JPEG#2のＪＰＥＧ分割データを復元する。そして、復元されたＪＰＥＧデータを静止画フォーマットデータとして記録媒体１００に追記記録する。このように復元されたＪＰＥＧデータを静止画フォーマットとして記録媒体１００に記録するようにしたので、静止画フォーマットに対応した再生装置によって、復元されたＪＰＥＧ画像を再生することが可能になる。
【００４７】
また、本実施形態では、ユーザのファイナライズ操作によってＪＰＥＧ分割データの復元処理を行い、復元されたＪＰＥＧデータを記録媒体１００に追記記録した。一方、動画フォーマットにおけるコンテンツの完結処理（例えば、DVD Videoフォーマットではタイトルを閉じる処理）を行った後にＪＰＥＧデータを復元し、復元されたＪＰＥＧデータを記録媒体１００に追記記録を行ってもよい。この場合の記録媒体１００のイメージを図８に示す。図８において、タイトルを閉じる完結処理を行った後に、そのタイトル内に分割されて記録されているＪＰＥＧデータを復元し、静止画フォーマットとして追記記録している。
【００４８】
このようにDVD Videoフォーマットにおけるタイトルクローズ時に、復元されたＪＰＥＧデータを静止画フォーマットとして記録媒体１００に記録することによって、ファイナライズ前の記録媒体１００を再生可能にするリペア処理を行っている。これにより、復元されたＪＰＥＧデータが再生可能になる。
【００４９】
また、本実施形態においては、ＭＰＥＧデータ毎に、ＪＰＥＧ分割データと付加情報とを多重化し、記録用の動画ストリームを生成して、動画用のフォーマットで記録媒体１００に記録した。一方、動画撮影が終了し、記録ポーズ状態で通常の静止画記録の指示があった時に、動画撮影中に前述の如く分割記録された静止画データを復元し、記録するようにしてもよい。
【００５０】
［本発明に係る他の実施形態］
前述した本発明の実施形態における記録装置及び画像再生装置を構成する各手段、並びに記録方法及び画像再生方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５１】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００５２】
なお、本発明は、前述した実施形態の機能を実現するソフトウェアのプログラム（実施形態では図２、図５及び図６に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００５３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５４】
その場合、プログラムの機能を有していれば、オブジェクトコード、インタプリタにより実行されるプログラム、ＯＳに供給するスクリプトデータ等の形態であってもよい。
【００５５】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００５６】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００５７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５８】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５９】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６０】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６１】
【図１】本発明の実施形態に係る画像記録再生装置の構成例を示すブロック図である。
【図２】本発明の実施形態の画像記録再生装置によって動画／静止画同時記録方法を用いた場合の動作手順の一例を示すフローチャートである。
【図３】従来の方法によって記録された場合の記録媒体のイメージを示す図である。
【図４】図２に示した動画／静止画同時記録手順によって記録された記録媒体のイメージの一例を示す図である。
【図５】本発明の実施形態の画像記録再生装置によって動画／静止画同時記録を行った記録媒体から静止画像を再生する動作手順の一例を示すフローチャートである。
【図６】本発明の実施形態の画像記録再生装置によって動画／静止画同時記録を行った記録媒体をファイナライズする動作手順の一例を示すフローチャートである。
【図７】図６に示したファイナライズ動作手順によってファイナライズされた記録媒体のイメージの一例を示す図である。
【図８】本発明の実施形態の画像記録再生装置における動画フォーマットのコンテンツ完結処理を行った場合の記録媒体のイメージの一例を示す図である。
【符号の説明】
【００６２】
１  画像記録再生装置
１００  記録媒体
１０１  レンズユニット
１０２  カメラ信号処理部
１０３  入力セレクタ
１０４  MPEG Codec
１０５  動画フォーマット処理部
１０６  JPEG Codec
１０７  静止画フォーマット処理部
１０８  ＪＰＥＧ分割部
１０９  ＪＰＥＧ復元部
１１０  記録再生部
１１１  表示部
１１２  出力セレクタ
１１３  ＣＰＵ
１１４  不揮発性メモリ
１１５  データバス
１１６  操作キー
【図１】
2007325099.tif 000003
【図２】
2007325099.tif 000004
【図３】
2007325099.tif 000005
【図４】
2007325099.tif 000006
【図５】
2007325099.tif 000007
【図６】
2007325099.tif 000008
【図７】
2007325099.tif 000009
【図８】
2007325099.tif 000010